(57)【要約】      （修正有）【課題】サブセンタの火災、更には、サブセンタを設置している施設の火災をＣＡＴＶセンタ側で監視可能として迅速且つ適切な対処を可能とする。【解決手段】ＣＡＴＶ伝送路１２の途中に設けたサブセンタ１４は、火災報知設備２０の火災感知器が設けられた施設１６内の割当区画にラック装置を設置しており、サブセンタ監視装置４６は、ラック装置内に設置した煙感知器５０と熱感知器５２の両方で火災を検出した場合または施設１６の火災報知設備２０から火災移報信号を受信した場合に、ケーブルモデム４４からＣＡＴＶ伝送路１２を介してＣＡＴＶセンタ１０側へサブセンタ火災信号又は施設火災信号を送信する。ＣＡＴＶセンタ１０に設置したセンタ監視装置４０は、サブセンタ１４側からサブセンタ火災信号又は施設火災信号を受信した場合に、火災表示盤４２からサブセンタ火災警報又は施設火災警報を出力させる。【選択図】図２
2015026306.tif 000002
【特許請求の範囲】
【請求項１】
ＣＡＴＶセンタに設置したヘッドエンドからテレビ信号を送信し、ＣＡＴＶ伝送路の途中に配置したサブセンタを介して加入者宅へ前記テレビ信号を送信するＣＡＴＶシステムに於いて、
前記サブセンタは、所定の施設内の割当区画に所定のＣＡＴＶ機器を収納したラック装置を設置しており、
前記サブセンタに、
ラック装置内の火災を検出する火災感知器と、
前記火災感知器が火災を検出した場合に、前記ＣＡＴＶ伝送路を介してＣＡＴＶセンタへ火災信号を送信するサブセンタ監視装置と、
を設け、
前記ＣＡＴＶセンタに、
前記サブセンタ監視装置から送信された火災信号を受信した場合に、火災受信信号を出力してサブセンタの火災を示す火災警報を出力させるセンタ監視装置を設けたことを特徴とするＣＡＴＶシステム。
【請求項２】
請求項１記載のＣＡＴＶシステムに於いて、
前記サブセンタ監視装置は、更に前記施設の火災を受信した場合に、前記ＣＡＴＶセンタへ前記施設の火災を送信し、
前記センタ監視装置は、前記サブセンタ監視装置から送信された施設の火災信号を受信した場合に、サブセンタを設置した施設の火災を示す火災警報を出力させることを特徴とするＣＡＴＶシステム。
【請求項３】
請求項２記載のＣＡＴＶシステムに於いて、
前記サブセンタ監視装置は、火災を検出した前記火災感知器が復旧した場合、又は前記施設の火災報知設備からの火災移報信号が停止した場合に、前記ＣＡＴＶ伝送路を介してＣＡＴＶセンタへサブセンタの火災復旧信号又は施設の火災復旧信号を送信し、
前記センタ監視装置は、前記サブセンタ監視装置から送信されたサブセンタの火災復旧信号又は施設の火災復旧信号を受信した場合に、サブセンタの火災を示す火災警報又は施設の火災警報の復旧を表示させることを特徴とするＣＡＴＶシステム。
【請求項４】
請求項１乃至２記載のＣＡＴＶシステムに於いて、
前記サブセンタ監視装置及び又はセンタ監視装置はメール機能を備え、火災監視に関わる信号を受信した場合に、所定のアドレスを宛先アドレスに設定した火災監視に関わるメールを前記ＣＡＴＶセンタに設置したメールサーバを経由して送信することを特徴とするＣＡＴＶシステム。
【請求項５】
請求項４記載のＣＡＴＶシステムに於いて、
前記サブセンタ監視装置及び又はセンタ監視装置は、全ての通報メールの複製宛先アドレスに所定の同一管理アドレスを設定し、当該管理アドレスを有する装置に、前記サブセンタ監視装置及び又はセンタ監視装置から送信した全ての通報メールの複製を受信して監視ログとしての利用を可能としたことを特徴とするＣＡＴＶシステム。
【請求項６】
請求項４記載のＣＡＴＶシステムに於いて、
前記サブセンタ監視装置又はセンタ監視装置は、
サブセンタの火災監視に関わる信号の場合はＣＡＴＶシステムの所定の管理者のアドレスを宛先アドレスに設定した火災通報メールを送信し、
サブセンタが設置された施設の火災監視に関わる信号の場合はＣＡＴＶシステムの前記管理者のアドレスを宛先アドレスに設定した施設火災を示す火災通報メールを送信すると共に、サブセンタを設置した前記施設の管理者のアドレスを宛先アドレスに設定した異常通報メールを送信することを特徴とするＣＡＴＶシステム。
【発明の詳細な説明】
【技術分野】
【０００１】
本発明は、ＣＡＴＶセンタから加入者宅に至るＣＡＴＶ伝送路の途中に設けたサブセンタの災害状態を監視するＣＡＴＶシステムに関する。
【背景技術】
【０００２】
従来、ＣＡＴＶシステムにあっては、ヘッドエンドを頂点とするツリー構造のＣＡＴＶ伝送路を介して加入者宅にテレビ信号を送ってテレビ番組の視聴サービスを提供しており、また近年にあっては、同伝送路を用いてインターネット等外部ネットワークと接続し、加入者宅のパソコンなどによるネットワークへのアクセスも可能にし、更に加入者宅に設置した火災感知器や防犯センサにより火災や盗難を監視するセキュリティー機能も実現している。
【０００３】
このようなＣＡＴＶシステムにあっては、サービス領域の拡大に伴い、サービス対象領域を複数のエリアに分け、それぞれのエリアに主に中継局として機能するサブセンタを設置している。
【０００４】
サブセンタは無人で運用する局設備であり、その設置場所としては、例えば学校などの公共施設内に利用可能な部屋などを確保して設置する場合があり、これによって土地を確保して専用施設を準備する必要がなく、システムの設置コスト低減を可能としている。
【０００５】
また、学校等の施設にサブセンタの設置場所を確保した場合、サブセンタに必要とする中継増幅器などの所定のＣＡＴＶ機器及びその電源供給装置を金属製のラックに収納して設置している。
【先行技術文献】
【特許文献】
【０００６】
【特許文献１】特開２０１１−１４６０５５号公報
【発明の概要】
【発明が解決しようとする課題】
【０００７】
ところで、従来のサブセンタにあっては、無人で運用しているため、ラックに収納しているＣＡＴＶ機器や電源供給装置が異常発熱を起こすと、場合によっては火災につながることがある。
【０００８】
この場合、サブセンタのラックを収納した施設の部屋には、その施設に火災報知設備の火災感知器が設置されており、ラック内の火災が外部に拡大した場合には、その部屋に設置している火災感知器が火災を検出し、火災報知設備の受信機から火災警報が出力されることになる。
【０００９】
しかし、ＣＡＴＶセンター側の管理者は、サブセンタの火災発生はわからず、サブセンタの機能停止による障害発生を知るだけであり、保守担当者がサブセンタに出向いて初めて火災を知ることになる。この場合、サブセンタのラックからの出火による火災であり、ＣＡＴＶセンター側で火災発生を把握できないことは、施設を安全に使用利用する責任を十分に果たしていないことになり、システムの運用に問題を残す。
【００１０】
また、サブセンタを設置している施設内の別の場所で火災が発生した場合、施設側から連絡を受けない限り、サブセンタを設置している施設で火災が起きていることがわからず、火災がサブセンタにまで拡大して機能が停止した場合に異常を知ることになるが、サブセンタに出向いて確認するまで、災害による機能停止がわからず、適切な対処ができないという問題がある。
【００１１】
本発明は、サブセンタの火災、更には、サブセンタを設置している施設の火災等の災害情報をＣＡＴＶセンタ側で監視可能として迅速且つ適切な対処を可能とするＣＡＴＶシステムを提供することを目的とする。
【課題を解決するための手段】
【００１２】
（ＣＡＴＶシステム）
本発明は、ＣＡＴＶセンタに設置したヘッドエンドからテレビ信号を送信し、ＣＡＴＶ伝送路の途中に配置したサブセンタを介して加入者宅へテレビ信号を送信するＣＡＴＶシステムに於いて、
サブセンタは、所定の施設内の割当区画に所定のＣＡＴＶ機器を収納したラック装置を設置しており、
サブセンタに、
ラック装置内の火災を検出する火災感知器と、
火災感知器が火災を検出した場合に、ＣＡＴＶ伝送路を介してＣＡＴＶセンタへ火災信号を送信するサブセンタ監視装置と、
を設け、
ＣＡＴＶセンタに、
サブセンタ監視装置から送信された火災信号を受信した場合に、火災受信信号を出力してサブセンタの火災を示す火災警報を出力させるセンタ監視装置を設けたことを特徴とする。
【００１３】
サブセンタ監視装置は、更に施設の火災を受信した場合に、ＣＡＴＶセンタへ施設の火災を送信し、
センタ監視装置は、サブセンタ監視装置から送信された施設の火災信号を受信した場合に、サブセンタを設置した施設の火災を示す火災警報を出力させる。
【００１４】
（火災復旧）
サブセンタ監視装置は、火災を検出した火災感知器が復旧した場合、又は施設の火災報知設備からの火災移報信号が停止した場合に、ＣＡＴＶ伝送路を介してＣＡＴＶセンタへサブセンタの火災復旧信号又は施設の火災復旧信号を送信し、
センタ監視装置は、サブセンタ監視装置から送信されたサブセンタの火災復旧信号又は施設の火災復旧信号を受信した場合に、サブセンタの火災を示す火災警報又は施設の火災警報の復旧を表示させる。
【００１５】
（メール機能）
サブセンタ監視装置及び又はセンタ監視装置はメール機能を備え、火災監視に関わる信号を受信した場合に、所定のアドレスを宛先アドレスに設定した火災監視に関わるメールを前記ＣＡＴＶセンタに設置したメールサーバを経由して送信する。
【００１６】
サブセンタ監視装置及び又はセンタ監視装置は、全ての通報メールの複製宛先アドレスに所定の同一管理アドレスを設定し、当該管理アドレスを有する装置に、サブセンタ監視装置及び又はセンタ監視装置から送信した全ての通報メールの複製を受信して監視ログとしての利用を可能とする。
【００１７】
サブセンタ監視装置又はセンタ監視装置は、
サブセンタの火災監視に関わる信号の場合は、ＣＡＴＶシステムの所定の管理者のアドレスを宛先アドレスに設定した火災通報メールを送信し、
サブセンタが設置された施設の火災監視に関わる信号の場合は、ＣＡＴＶシステムの管理者のアドレスを宛先アドレスに設定した施設火災を示す火災通報メールを送信すると共に、サブセンタを設置した施設の管理者のアドレスを宛先アドレスに設定した異常通報メールを送信することを特徴とするＣＡＴＶシステム。
【発明の効果】
【００１８】
（基本的な効果）
本発明のＣＡＴＶシステムによれば、サブセンタは、火災報知設備の火災感知器が設けられた施設内の割当区画に所定のＣＡＴＶ機器を収納したラック装置を設置し、ラック装置内の火災を検出する火災感知器により火災を検出した場合または施設の火災報知設備から火災移報信号を受信した場合に、ＣＡＴＶセンタへサブセンタ火災信号又は施設火災信号を送信し、一方、ＣＡＴＶセンタに、サブセンタ監視装置から送信されたサブセンタ火災信号又は施設火災信号を受信した場合に、火災受信信号を出力してサブセンタの火災を示す火災警報又はサブセンタを設置した施設の火災警報を出力させるセンタ監視装置を設けるようにしたため、ＣＡＴＶシステムの管理者は、サブセンタ側で発生した火災や施設火災を迅速且つ確実に知ることができ、例えばサブセンタ火災の場合は、施設側に連絡を取って状況を知らせると共に、保守担当者をサブセンタに急行させて、サブセンタの火災発生に対処可能とし、一方、サブセンタを設置している施設火災を知った場合は、施設火災発生後のサブセンタの障害が予想されることから、サブセンタに火災が拡大する前に、例えばラック装置に対する電源供給を配電盤で遮断したり、火災が割り当て区画側に延焼しないよう対処するといったことを可能とする。
【００１９】
また、火災を検出だけでなく、火災復旧した場合又は施設側において火災復旧した場合には、センタ側で復旧を通知することで、サブセンタの機能を回復させるための対処を適切に取ることを可能とする。
（メール機能による効果）
また、サブセンタ監視装置及び又はセンタ監視装置はメール機能を備え、火災信号を受信した場合又は火災復旧信号を受信した場合に、所定のアドレスを宛先アドレスに設定した火災通報メール又は火災復旧メールをＣＡＴＶセンタに設置したメールサーバを経由して送信するようにしたため、ＣＡＴＶセンター以外の場所においても、サブセンタ及びサブセンタを設置した施設の火災を知って適切に対応可能とする。
【００２０】
また、サブセンタ監視装置及び又はセンタ監視装置は、火災発生場所・内容により予め設定した宛先に適宜送信するようにしたため、ＣＡＴＶシステム側の管理者やサブセンタを設置している施設の管理者に対して、受信者に応じた適切な情報を提供することができる。
（センタ装置側でのメールログ表示の効果）
また、サブセンタ監視装置及び又はセンタ監視装置は、全ての通報メールの複製宛先アドレス（ＣＣ）に所定の同一管理アドレスを設定し、当該管理アドレスを有する装置に、前記サブセンタ監視装置及び又はセンタ監視装置から送信した全ての通報メールの複製を受信して監視ログとしての利用を可能としたため、特定の管理アドレスの装置で、全ての通報メールの複製を受信することができ、例えば受信フォルダを開くことで、火災発生から復旧までの事象と時刻を含むログ情報を簡単に取得可能とする。
【図面の簡単な説明】
【００２１】
【図１】サブセンタを配置したＣＡＴＶシステムの概要説明図
【図２】ＣＡＴＶセンタとサブセンタの装置構成の実施形態を示したブロック図
【図３】サブセンタに設けたラック装置の概略を示した説明図
【図４】サブセンタ監視装置の実施形態を示したブロック図
【図５】センタ監視装置の実施形態を示したブロック図
【図６】サブセンタの火災発生で送信する通報メールを示した説明図
【図７】サブセンタの火災復旧で送信する通報メールを示した説明図
【図８】複製宛先アドレスを有する装置の火災監視ログとして利用可能な受信トレイを示した説明図
【図９】サブセンタを設置した施設の火災発生で送信する通報メールを示した説明図
【図１０】サブセンタを設置した施設の火災復旧で送信する通報メールを示した説明図
【発明を実施するための形態】
【００２２】
［ＣＡＴＶシステムの概要］
図１はサブセンタを配置したＣＡＴＶシステムの概要を示した説明図である。図１に示すように、ＣＡＴＶセンタ１０に対してはＣＡＴＶ伝送路１２を介して例えば２つのサブセンタ１４を接続し、サブセンタ１４の下流側にＣＡＴＶ伝送路１２を介して複数の加入者宅２４を接続している。
【００２３】
ＣＡＴＶ伝送路１２は、ＣＡＴＶセンタ１０から例えば同軸ケーブルを引き出したツリー構造をとり、必要に応じて幹線分配増幅器（ＴＤＡ）、幹線分岐増幅器（ＴＢＡ）、分配器を設け、最終的にＣＡＴＶ保安器を介して加入者宅２４内のテレビ端子に接続している。テレビ端子は例えば末端の分配器により２分配された２口の端子を持ち、一方の端子にテレビを接続し、他方の端子にケーブルモデムを介してパソコン等の利用者端末を接続し、ＣＡＴＶ伝送路１２を介してインターネットとの通信接続を可能としている。なお、ＣＡＴＶ伝送路１２としては、光ケーブルを使用する場合、光ケーブルと同軸ケーブルを混在させる場合を含む。
【００２４】
ＣＡＴＶ伝送路１２における下り方向のテレビ信号の周波数帯域は９０Ｍ〜７７０ＭＨｚであり、１チャンネル当り６ＭＨｚの帯域を使用する。またＣＡＴＶ伝送路１２におけるパケットを用いたデータ通信は、上り方向は１０Ｍ〜５５ＭＨｚの間から任意の周波数帯を切り出して使用し、一方、下り方向は６００Ｍ〜７７０ＭＨｚの間の任意の周波数帯を使用する。
【００２５】
サブセンタ１４は、学校などの施設１６の中の割当区画１８となる部屋等を確保し、そこに設置している。施設１６には火災報知設備２０が設置されており、その火災受信機（図示せず）からの感知器回線に接続している火災感知器２２を、サブセンタ１４の割当区画１８となる部屋にも設置して火災を監視している。
【００２６】
［サブセンタの構成］
図２はＣＡＴＶセンタとサブセンタの装置構成の実施形態を示したブロック図、図３はサブセンタに設けたラック装置の概略を示した説明図、図４はサブセンタ監視装置の機能構成の概略を示したブロック図である。
【００２７】
図２に示すように、サブセンタ１４には、ケーブルモデム４４、サブセンタ監視装置４６、アダプタ４８、煙感知器５０及び熱感知器５２を設置している。
【００２８】
図３に示すように、サブセンタ１４の設備は、例えば２台のラック装置５３を並べて設置しており、例えば右側のラック装置５３を一部破断して内部に示すように、ラック天板５６の下側（ラック内部）に煙感知器５０及び熱感知器５２を設置し、ラック内の棚にサブセンタ監視装置４６を設置している。
【００２９】
またラック装置５３内には、電源供給装置及び放送信号中継増幅器などの中継局として必要な所定のＣＡＴＶ機器（図示せず）を収納している。なお、２台のラック装置５３は合せ部分で開口しており、右側のラック装置５２に煙感知器５０及び熱感知器５２を設置することで、左側のラック装置５３の火災も監視している。
【００３０】
図２に示すように、アダプタ４８は感知器回線を介して煙感知器５０と熱感知器５２を個別に接続しており、感知器回線を介して所定の電源電圧を煙感知器５０と熱感知器５２に印加して動作している。煙感知器５０は公知の散乱光式検煙構造を備え、火災により発生した煙の濃度を観測し、観測している煙濃度が所定の煙濃度閾値以上となった場合に火災を検出して発報し、感知器回線に発報電流を流してアダプタ４８に火災信号を送る。また、煙感知器５０は発報後に煙濃度が閾値煙濃度以下に低下した状態が継続すると、自動的に復旧する。
【００３１】
熱感知器５２は温度検出素子として例えばサーミスタを備え、サーミスタによる検出温度が所定の温度閾値以上となった場合に火災を検出して発報し、感知器回線に発報電流を流してアダプタ４８に火災信号を送る。また、熱感知器５２は発報後に温度が閾値温度度以下に低下した状態が継続すると、自動的に復旧する。
【００３２】
アダプタ４８は煙感知器５０と熱感知器５２の両方の火災信号を受信した場合に、火災接点信号をサブセンタ監視装置４６に出力する。即ち、アダプタ４８は煙感知器５０の火災信号で動作するリレーと、熱感知器５２の火災信号で動作するリレーを備え、両方のリレーのリレー接点を直列接続して火災接点信号を出力する。
【００３３】
サブセンタ監視装置４６には、アダプタ４８からの火災接点信号と、施設１６に設けた火災報知設備２０の火災受信機（図示せず）からの火災移報接点信号を入力している。
【００３４】
サブセンタ監視装置４６は、アダプタ４８から火災接点信号を入力した場合、サブセンタ１４の火災を示すパケット形式のサブセンタ火災信号を生成し、ケーブルモデム４４を介してＣＡＴＶセンタ１０へ送信する。
【００３５】
また、サブセンタ監視装置４６は、火災報知設備２０から火災移報接点信号を入力した場合、火災報知設備２０による火災検出を示すパケット形式の施設火災信号を生成し、ケーブルモデム４４を介してＣＡＴＶセンタ１０へ送信する。
【００３６】
また、サブセンタ監視装置４６は、メール送信機能を備え、アダプタ４８から火災接点信号を入力した場合、又は、火災報知設備２０から火災移報接点信号を入力した場合、所定の通報メールを生成し、それぞれケーブルモデム４４を介してＣＡＴＶセンタ１０へ送信する。このメール機能については、後で詳細に説明する。
【００３７】
図４に示すように、サブセンタ監視装置４６は、制御部５４、接点入力部５７、ＵＳＢなどの入出力ポート５８、通信部６０、操作部６２、表示部６４を備える。
【００３８】
制御部５４は、例えばプログラムの実行により実現する機能であり、ハードウェアとしてはＣＰＵ、メモリ、各種の入出力ポート等を備えたコンピュータ回路等を使用する。
【００３９】
接点入力部５７は複数の接点入力が可能であり、図２に示したアダプタ４８からの火災信号接点と施設１６の火災報知設備２０からの火災移報信号接点を入力する。そのほかにラック５４内の放送設備機器の状態信号を入力して、機器の状態をＣＡＴＶセンター側へ送信することも可能である。
【００４０】
入出力ポート５８は例えばＵＳＢポートであり、ここにパソコン等の端末機器を接続し、サブセンタ監視装置４６に対する初期設定や通報メールの文章フォーマットの作成を可能とする。通信部６０はケーブルモデム４４との間でパケット形式によりデータ信号を送受信する。操作部６２はサブセンタ監視装置４６の動作に必要な各種の操作を行う。表示部６４はサブセンタ装置４６の動作に伴う各種の表示を行う。
【００４１】
図２に示したケーブルモデム４４はＣＡＴＶ伝送路１２を介してＣＡＴＶセンタ１０のＳＮＭＰマネージャー３６との間でＳＮＭＰ（Ｓｉｍｐｌｅ  Ｎｅｔｗｏｒｋ  Ｍａｎａｇｅｍｅｎｔ  Ｐｒｏｔｃｏｌの略）に従ってパケット形式のデータ通信を行う。なお、ＳＮＭＰの詳細は後述する。
【００４２】
（制御部の機能）
サブセンタ監視装置４６の制御部５４は次の制御を行う。
【００４３】
制御部５４は、煙感知器５０と熱感知器５２の両方の火災検出に基づくアダプタ４８からの火災接点信号の入力を検出した場合、サブセンタ火災信号を生成し、これを通信部６０に指示してケーブルモデム４４に送信する制御を行う。
【００４４】
また、制御部５４は、施設１６の火災報知設備２０から火災移報接点信号の入力を検出した場合、施設火災信号を生成し、これを通信部６０に指示してケーブルモデム４４に送信する制御を行う。
【００４５】
また、制御部５４は、煙感知器５０と熱感知器５２の両方の火災検出の復旧に基づきアダプタ４８からの火災接点信号の入力停止を検出した場合、サブセンタ火災復旧信号を生成し、これを通信部６０に指示してケーブルモデム４４に送信する制御を行う。
【００４６】
また、制御部５４は、施設１６の火災報知設備２０から火災移報接点信号の入力停止（火災復旧）を検出した場合、施設火災復旧信号を生成し、これを通信部６０に指示してケーブルモデム４４に送信する制御を行う。
【００４７】
また、制御部５４は、アダプタ４８からの火災接点信号の入力を検出した場合、ＣＡＴＶシステムに所属する所定の管理者のアドレスを宛先アドレスに設定した火災通報メールを生成し、これを通信部６０に指示してケーブルモデム４４に送信する制御を行う。
【００４８】
また、制御部５４は、施設１６の火災報知設備２０から火災移報接点信号の入力を検出した場合、サブセンタ１４を設置した施設１６の所定の管理者のアドレスを宛先アドレスに設定した異常発生を示す異常通報メールを生成し、これを通信部６０に指示してケーブルモデム４４に送信する制御を行う。
【００４９】
また、制御部５４は、アダプタ４８からの火災接点信号の入力停止（火災復旧）を検出した場合、ＣＡＴＶシステムに所属する所定の管理者のアドレスを宛先アドレスに設定した火災復旧通報メールを生成し、これを通信部６０に指示してケーブルモデム４４に送信する制御を行う。
【００５０】
また、制御部５４は、施設１６の火災報知設備２０から火災移報接点信号の入力停止を検出した場合、サブセンタ１４を設置した施設１６の所定の管理者のアドレスを宛先アドレスに設定した異常発生を示す異常復旧通報メールを生成し、これを通信部６０に指示してケーブルモデム４４に送信する制御を行う。
【００５１】
なお、施設火災や施設火災復旧に対する通報メールは、ＣＡＴＶシステムに所属する所定の管理者アドレスも宛先アドレスに設定して、施設の火災情報をメール送信してラック内の機器へ悪影響する可能性を通知することができる。
【００５２】
［ＣＡＴＶセンタの構成］
（ＣＡＴＶセンタの概要）
図２に示すように、ＣＡＴＶセンタ１０には、ヘッドエンド２６、ケーブルモデムターミネーションシステム３４、ルータ３５、ＳＮＭＰマネージャー３６、メールサーバ３８、センタ監視装置４０及び火災表示盤４２を設置している。
【００５３】
ＣＡＴＶセンタ１０に設置したヘッドエンド２６は、ＵＨＦアンテナ２８、ＢＳアンテナ３０及びＣＳアンテナ３２を接続しており、ＣＡＴＶ伝送路１２を介して利用者宅側へテレビ信号を送信している。
【００５４】
ケーブルモデムターミネーションシステム（ＣＭＴＳ）３４は、ＣＡＴＶ伝送路１２を利用してインターネットサービスを提供するシステムであり、ＣＡＴＶ伝送路１２を介してサブセンタ１４に設置したケーブルモデム４４及び図１の加入者宅に設置しているケーブルモデムと対になって動作し、イーサネット（登録商標）等のインタフェースを介してインターネット接続用のルータ３５につなぐことで、インターネット上の機器との間のデータ通信を可能とする。
【００５５】
ＳＮＭＰマネージャー３６は、ＣＡＴＶ伝送路１２を介してサブセンタ１４に設置したケーブルモデム４４及び図１の加入者宅に設置しているケーブルモデムとの間でパケット形式のデータ通信を行う。通常はＳＮＭＰマネージャー３６が問合せや要求をケーブルモデムに送り、それにケーブルモデムが返信を送る。また、ケーブルモデム側で異常などの所定のイベントが発生した場合、ケーブルモデムからＳＮＭＰマネージャー３６に発生イベントを通知することができ、これをＳＮＭＰトラップという。
【００５６】
本実施形態のサブセンタ１４に設けたケーブルモデム４４は、サブセンタ監視装置４６が火災信号又は火災復旧信号を出力した場合、ＳＮＭＰトラップを使用して火災信号又は火災復旧信号をＳＮＭＰマネージャー３６に送信する。
【００５７】
メールサーバ３８は、センタ監視装置４０及びサブセンタ監視装置４６がメール機能を備えていることから、センタ監視装置４０及びサブセンタ監視装置４６から送信された通報メールを、ケーブルモデムターミネーションシステム３４及びルータ３５を経由してインターネット上へ送信する。
【００５８】
センタ監視装置４０は、サブセンタ監視装置４６から送信されたサブセンタ火災信号又は施設火災信号を受信した場合に、火災表示盤４２に、対応する火災受信信号を出力してサブセンタの火災を示す警報音と警報表示によるサブセンタ火災警報又はサブセンタ１４を設置した施設１６の火災を示す警報音と警報表示による施設火災警報を出力させる。
【００５９】
また、センタ監視装置４０は、火災表示盤４２によるサブセンタ火災警報または施設火災警報の出力中に、サブセンタ監視装置４６から送信されたサブセンタ火災復旧信号又は施設火災復旧信号を受信した場合に、火災表示盤４２によるサブセンタ火災警報又は施設火災警報を出力停止し、対応する場所や施設の火災復旧を知らせる。火災発生や火災復旧は履歴保存され、後で時系列で履歴確認することができる。
【００６０】
また、センタ監視装置４０は、メール機能を備え、ＳＮＭＰマネージャー３６を解してサブセンタ１４から送信されたサブセンタ火災信号、サブセンタ火災復旧信号、施設火災信号、又は施設火災復旧信号を受信した場合、それぞれに対応した通報メールを作成し、メールサーバ３８を経由して所定の宛先アドレスに通報メールを送信する。このメール機能についても、後で詳細に説明する。
【００６１】
（センタ監視装置の構成）
図５はセンタ監視装置の機能構成の概略を示したブロック図である。図５に示すように、センタ監視装置４０は、制御部６６、通信部６８、操作部７０、表示部７２、接点入出力部７４、ＵＳＢなどの入出力ポート７６を備える。
【００６２】
制御部６６は、例えばプログラムの実行により実現する機能であり、ハードウェアとしてはＣＰＵ、メモリ、各種の入出力ポート等を備えたコンピュータ回路等を使用する。
【００６３】
通信部６８はＳＮＭＰマネージャー３６との間でパケット形式によりデータ信号を送受信する。操作部７０はセンタ監視装置４０の動作に必要な各種の操作を行う。表示部７２はセンタ装置４０の動作に伴う各種の表示を行う。
【００６４】
接点入出力部７４は例えば１０点の接点入力端子と接点出力端子を備え、サブセンタ火災受信信号と施設火災受信信号に対応した２つの接点出力端子からの接点信号を、火災表示盤４２に出力してサブセンタ火災警報又は施設火災警報を出力可能としている。
【００６５】
入出力ポート７６は例えばＵＳＢポートであり、ここにパソコン等の端末機器を接続し、センタ監視装置４０に対する初期設定や通報メールの作成を可能とする。
【００６６】
（センタ監視装置の制御機能）
センタ監視装置４０の制御部６６は次の制御を行う。
【００６７】
制御部６６は、通信部６８を介してサブセンタ１４側から送信されたサブセンタ火災信号を受信した場合、接点入出力部７４に指示し、火災表示盤４２にサブセンタ火災接点信号を出力してサブセンタ火災警報を出力させる制御を行う。
【００６８】
また、制御部６６は、通信部６８を介してサブセンタ１４側から送信された施設火災信号を受信した場合、接点入出力部７４に指示し、火災表示盤４２に施設火災接点信号を出力して施設火災警報を出力させる制御を行う。
【００６９】
また、制御部６６は、通信部６８を介してサブセンタ１４側から送信されたサブセンタ火災復旧信号を受信した場合、接点入出力部７４に指示し、火災表示盤４２にサブセンタ火災接点信号の出力を停止してサブセンタ火災警報の出力を停止させる制御を行う。また所定時間だけ復旧した旨の表示をさせる制御を行う。
【００７０】
また、制御部６６は、通信部６８を介してサブセンタ１４側から送信された施設火災復旧信号を受信した場合、接点入出力部７４に指示し、火災表示盤４２に施設火災接点信号の出力を停止して施設火災警報の出力を停止させる制御を行う。また所定時間だけ復旧した旨の表示をさせる制御を行う。
【００７１】
また、制御部６６は、通信部６８を介してサブセンタ１４側から送信されたサブセンタ火災信号を受信した場合、ＣＡＴＶシステムに所属する所定の管理者のアドレスを宛先アドレスに設定した移報火災通報メールを生成し、これを通信部６８に指示してメールサーバ３８に送信する制御を行う。この場合、制御部６６は、更に、サブセンタ１４を設置した施設１６の所定の管理者のアドレスを宛先アドレスに設定した異常通報メールを生成し、これを通信部６８に指示してメールサーバ３８に送信する制御を行う。
【００７２】
また、制御部６６は、通信部６８を介してサブセンタ１４側から送信された施設火災信号を受信した場合、ＣＡＴＶシステムに所属する所定の管理者のアドレスを宛先アドレスに設定した移報火災通報メールを生成し、これを通信部６８に指示してメールサーバ３８に送信する制御を行う。この場合、制御部５４は、更に、サブセンタ１４を設置した施設１６の所定の管理者のアドレスを宛先アドレスに設定した移報火災通報メールを生成し、これを通信部６８に指示してメールサーバ３８に送信する制御を行う。
【００７３】
また、制御部６６は、通信部６８を介してサブセンタ１４側から送信されたサブセンタ火災復旧信号を受信した場合、ＣＡＴＶシステムに所属する所定の管理者のアドレスを宛先アドレスに設定した火災復旧通報メールを生成し、これを通信部６８に指示してメールサーバ３８に送信する制御を行う。この場合、制御部５４は、更に、サブセンタ１４を設置した施設１６の所定の管理者のアドレスを宛先アドレスに設定した異常復旧通報メールを生成し、これを通信部６８に指示してメールサーバ３８に送信する制御を行う。
【００７４】
また、制御部６６は、通信部６８を介してサブセンタ１４側から送信された施設火災復旧信号を受信した場合、ＣＡＴＶシステムに所属する所定の管理者のアドレスを宛先アドレスに設定した移報火災復旧通報メールを生成し、これを通信部６８に指示してメールサーバ３８に送信する制御を行う。この場合、制御部５４は、更に、サブセンタ１４を設置した施設１６の所定の管理者のアドレスを宛先アドレスに設定した異常発生を示す移報火災復旧通報メールを生成し、これを通信部６８に指示してメールサーバ３８に送信する制御を行う。
【００７５】
このメール送信の宛先は、異常警報の内容に応じて、宛先をあらかじめ設定しておくことで、必要な相手にメール送信することができる。
【００７６】
このようなＣＡＴＶセンタ１０におけるサブセンタ１４の火災監視により、ＣＡＴＶセンタ１０側の管理者又は担当者は、サブセンタ１４で発生した火災及びサブセンタ１４を設置した施設１６で発生した火災を迅速且つ確実に知ることができ、例えばサブセンタの火災の場合は、保守担当者をサブセンタ１４に急行させて、サブセンタ１４の火災発生に対処可能とし、一方、サブセンタ１４を設置している施設火災を知った場合は、その後、サブセンタ１４が障害を起こしても、その原因が施設火災にあることを認識しており、例えばサブセンタ１４に火災が拡大する前に、ラック装置５４に対する電源供給を配電盤で遮断して火災に備えるといった対応を可能とする。
【００７７】
また、火災を検出した煙感知器５０と熱感知器５２の両方が復旧した場合、又は施設１６の火災報知設備２０からの火災移報信号が復旧した場合には、火災表示盤４２によるサブセンタ１４の火災を示す火災警報又は施設の火災を示す火災警報の出力停止や復旧表示により、サブセンタ又は施設１６の火災復旧を知り、サブセンタ１４の機能を回復させるための対処を適切に取ることを可能とする。
【００７８】
［監視装置のメール機能］
図２に示すサブセンタ１４に設けたサブセンタ監視装置４６およびＣＡＴＶセンタ１０に設けたセンタ監視装置４０は、火災および火災復旧のイベント発生に基づきメールを自動送信するメール機能を備える。
【００７９】
［サブセンタ監視装置のメール機能］
（サブセンタ火災の通報メール）
図６はサブセンタの火災発生で送信する通報メールの内容を示した説明図であり、メール内容を理解しやすいよう通報先側で表示される受信メール画面を示している。図６（Ａ）はＣＡＴＶ管理者に送信する火災通報メールを示し、図６（Ｂ）は施設管理者に送信する異常通報メールを示す。
【００８０】
図２に示したサブセンタ監視装置４６がアダプタ４８から煙感知器５０と熱感知器５２の両方の火災検出に基づく火災接点信号を入力した場合、図６（Ａ）に示す火災通報メール７８を生成し、ＣＡＴＶシステムに所属する所定の管理者へ送信する。
【００８１】
火災通報メール７８は、ヘッダ部７８ａに公知のメールと同様、発信者、日時、宛先、ＣＣ、件名をもち、発信者としてサブセンタ監視装置４６に設定した自己メールアドレスをリネームした「サブセンタ１」として示すように初期設定し、宛先としてＣＡＴＶシステムに所属する所定の管理者のメールアドレスをリネームした「ＣＡＴＶ管理者」として初期設定し、複製メールの送信先となるＣＣ（カーボンコピー）に、通報メールのログを収集するＣＡＴＶシステムの所定の端末機器のメールアドレスをリネームした「ＣＡＴＶログ」として初期設定している。件名は通報イベントが発生した場合のイベント内容に応じて設定する。この場合は、アダプタ４８からのサブセンタ火災接点信号の入力であることから、「サブセンタ１火災」を設定する。
【００８２】
メール本文７８ｂには、イベント発生日時［２０１３／０６／２９  １３．２８．３４］、発生場所「サブセンタ１」、イベント内容「サブセンタ１火災」を表示し、更に、サブセンタ監視装置４６の３つの入力接点の状態を「接点１  接点２  接点３」としてそのＯＮ、ＯＦＦを示している。ここで接点１はサブセンタ火災入力接点であり、接点２は施設火災入力接点であり、接点３は空きとなる。この場合、「接点１  「ＯＮ」」として、変化分にカギ括弧を付加して、サブセンタ火災接点入力があったことを示している。
【００８３】
またサブセンタ監視装置４６は、図６（Ａ）に示す火災通報メール７８に続いて、図６（Ｂ）に示す異常通報メール８０を生成し、サブシステム１４を設置している施設１６の所定の管理者にもメール送信する。
【００８４】
異常通報メール８０は、ヘッダ部８０ａの宛先を所定の施設管理者のメールアドレスをリネームした「施設管理者」として初期設定している。また、メール本文８０ｂのイベント内容を「サブセンタ異常発生」としており、不要な混乱を避けるため、火災発生とはせず、異常発生とし、ＣＡＴＶシステムの担当者がサブセンタ１４に急行して対処する旨の本文を添付する。それ以外は、火災通報メール７８の場合と同様である。
【００８５】
（サブセンタ火災復旧の通報メール）
図７はサブセンタの火災復旧で送信する通報メールを示した説明図であり、図７（Ａ）はＣＡＴＶ管理者に送信する火災復旧通報メールを示し、図７（Ｂ）は施設管理者に送信する異常復旧通報メールを示す。
【００８６】
図７（Ａ）に示す火災復旧通報メール８２は、ヘッダ部８２ａの件名を「サブセンタ１火災復旧」とし、メール本文８２ｂのイベント内容が「サブセンタ火災復旧」となり、入力接点の状態として「接点１  「ＯＦＦ」」として、アダプタ４８からのサブセンタ火災接点信号が停止したことを示している。それ以外は図６（Ａ）の火災通報メール７８の場合と基本的に同様となる。
【００８７】
図７（Ｂ）に示す異常復旧メール８４は、ヘッダ部８４ａの件名を「サブセンタ１異常復旧」とし、メール本文８４ｂのイベント内容が「サブセンタ異常復旧」となり、入力接点の状態として「接点１  「ＯＦＦ」」として、アダプタ４８からのサブセンタ火災接点信号が停止したことを示している。それ以外は図６（Ｂ）の異常通報メール８０の場合と基本的に同様となる。
【００８８】
なお、緊急な対処が必要な火災通報メールや異常通報メールは、火災発生したら迅速にメール送信する。しかし、図７（Ａ）、（Ｂ）の復旧に関わるメール送信は、復旧してから所定時間経過してもなお復旧状態を維持することを確認した後にメール送信することで、火災中であるにもかかわらず、対処が中断されることを防ぐ。
【００８９】
（複製メールによるログ機能       ）
図８は複製宛先アドレスを有する装置の火災監視ログとして利用可能なメール受信トレイを示した説明図である。
【００９０】
図６及び図７に示した通報メールは、その複製宛先となるＣＣに全て同じ「ＣＡＴＶログ」とリネームした同一のメールアドレスを設定しており、その結果、「ＣＡＴＶログ」を自己のメールアドレスとして端末機器には、図８に示す受信トレイ８６の内容が表示可能となる。この受信トレイ８６の表示は、図６及び図７に示した通報メールを時系列的に並べており、その件名からサブセンタ１４で発生した火災状況のログとしてＣＡＴＶセンターにいる管理者が、ＣＡＴＶシステムに接続された全サブセンタにおける災害情報履歴を確認することができる。
【００９１】
（施設火災の通報メール）
図９はサブセンタを設置した施設の火災発生で送信する通報メールを示した説明図であり、図９（Ａ）はＣＡＴＶ管理者に送信する移報火災通報メールを示し、図９（Ｂ）は施設管理者に送信する移報火災通報メールを示す。
【００９２】
図２に示したサブセンタ監視装置４６が施設１６の火災報知設備２０から施設火災の受信に基づく火災移報接点信号を受信した場合、図９（Ａ）に示す移報火災通報メール８８を生成し、ＣＡＴＶシステムに所属する所定の管理者へ送信する。
【００９３】
移報火災通報メール８８は、ヘッダ部８８ａの件名を「サブセンタ１施設火災」とし、メール本文８８ｂのイベント内容を「設置施設火災発生」とし、また、サブセンタ監視装置４６の入力接点の状態として「接点２  「ＯＮ」」として、施設火災を示す移報火災接点入力があったことを示している。それ以外は図６（Ａ）の火災通報メール７８の場合と基本的に同様となる。このメールを管理者が受信して、発生施設に急行し、施設の火災が延焼してサブセンタの放送機器へ悪影響を与える前に対処をおこなう。
【００９４】
またサブセンタ監視装置４６が施設１６の火災報知設備２０から移報火災接点信号を入力した場合には、図９（Ａ）に示す移報火災通報メール８８に続いて、図９（Ｂ）に示す移報火災通報メール９０を生成し、サブシステム１４を設置している施設１６の所定の管理者に送信する。
【００９５】
移報火災通報メール９０は、ヘッダ部９０ａの件名を「サブセンタ１設置施設火災」とし、メール本文９０ｂのイベント内容として「火災移報受信」としており、また、サブセンタ監視装置４６の入力接点の状態として「接点２  「ＯＮ」」として、施設火災を示す移報火災接点入力があったことを示している。それ以外は図６（Ｂ）の異常通報メール８０の場合と基本的に同様となる。
【００９６】
（施設火災復旧の通報メール）
図１０は施設の火災復旧で送信する通報メールを示した説明図であり、図１０（Ａ）はＣＡＴＶ管理者に送信する移報火災復旧通報メールを示し、図１０（Ｂ）は施設管理者に送信する移報火災復旧通報メールを示す。
【００９７】
図１０（Ａ）に示す移報火災復旧通報メール９２は、ヘッダ部９２ａの件名を「サブセンタ１施設火災復旧」とし、メール本文９２ｂのイベント内容が「設置施設火災復旧」となり、入力接点の状態として「接点２  「ＯＦＦ」」として、火災報知設備２０からの移報火災接点信号が停止したことを示している。それ以外は図９（Ａ）の火災通報メール７８の場合と基本的に同様となる。
【００９８】
図１０（Ｂ）に示す移報火災復旧通報メール９４は、ヘッダ部９４ａの件名を「サブセンタ１施設火災復旧」とし、メール本文９４ｂのイベント内容が「サブセンタ施設火災復旧」となり、入力接点の状態として「接点２  「ＯＦＦ」」として、火災報知設備２０からの移報火災接点信号が停止したことを示している。それ以外は図９（Ｂ）の移報火災通報メール９０の場合と基本的に同様となる。
【００９９】
図９、図１０のメールは、その複製宛先となるＣＣに全て同じ「ＣＡＴＶログ」とリネームした同一のメールアドレスを設定しており、図６、図７のメールと同じ図８のＣＡＴＶセンターの受信トレイにて全てのメールを表示することができ、送信者、件名あるいは受信日時で並べ替えて、ＣＡＴＶセンターの管理者が全サブセンタの状況変化履歴を把握することができる。
【０１００】
なお、図６乃至図９に示した通報メールは一例であり、必要に応じて適宜の内容とすることができる。
【０１０１】
［サブセンタ監視装置の他の実施形態］
図２に示したサブセンタ監視装置４６は、アダプタ４８から煙感知器５０と熱感知器５２の両方で火災を検知した場合に出力される火災接点信号を入力してサブシステム火災信号をＣＡＴＶセンタ１０側に送信しているが、他の実施形態として、サブセンタ監視装置４６は、煙感知器５０と熱感知器５２の何れか一方で火災を検出した場合に、ＣＡＴＶセンタ１０へサブセンタ１４での火災の予兆を示すサブセンタ火災予報信号を送信し、ＣＡＴＶセンタ１０の火災表示盤４２から火災予報警報（プリアラーム）を出力させるようにしても良い。
【０１０２】
具体的には、アダプタ４８は、煙感知器５０と熱感知器５２のそれぞれの火災検出に対応して火災接点信号をサブセンタ監視装置４６に出力するように構成すれば良い。
【０１０３】
このため、火災に繋がる可能性の高い煙濃度の増加や温度上昇などの予兆を捕らえ、早い段階でサブセンタ１４の火災に繋がる異常を報知して、火災を未然に抑制するための適切な対処を可能とする。
【０１０４】
［本発明の変形例］
上記の実施形態は、サブセンタに設置したラック装置内に、煙感知器と熱感知器の２台を設置して両方が火災を検出した場合にサブセンタ監視装置からＣＡＴＶセンタに火災信号を送信して警報させているが、ラック装置内に単一の煙感知器又は熱感知器を設けて火災を検出した場合にサブセンタ監視装置からＣＡＴＶセンタに火災信号を送信して警報させても良い。
【０１０５】
また、上記の実施形態ではアダプタ４８からの感知器回線に煙感知器５０と熱感知器５２を接続しているが、アダプタ４８の機能をサブセンタ監視装置４６に組み込むようにしても良い。
【０１０６】
また、上記の実施形態にあっては、サブセンタ火災の監視に加え、サブセンタを設置した施設に設けた火災報知設備からの火災移報信号に基づき施設火災も監視しているが、施設火災を監視せずに、サブセンタ火災のみを監視するようにしてもよい。
【０１０７】
上記の実施形態にあっては、図６乃至図１０にサブセンタ監視装置から送信する通報メールを例示しているが、センタ監視装置４０から送信する通報メールも基本的に同じになる。
【０１０８】
上記の実施形態にあっては、サブセンタ監視装置とセンタ監視装置のメール機能を利用して、サブセンタの火災及びサブセンタを設置した施設の火災に対し、サブセンタ監視装置とセンタ監視装置の両方から対応する通報メールを送信しているが、必要に応じて何れか一方からのみ通報メールを送信するようにしても良い。
【０１０９】
また、サブセンタ監視装置とセンタ監視装置のメール機能の一方を有効とし、メール機能に障害が発生した場合に他方のメール機能を有効としてバックアップするようにしても良い。
【０１１０】
また、メール送信の宛先を、入力接点個々に設定してもよく、もしくは変化した入力接点の組み合わせに応じて設定してもよく、例えば、放送機器が収納されたラック内の火災時にはＣＡＴＶシステムの管理者に送信し、施設火災の場合はＣＡＴＶシステム管理者および施設管理者へメール送信するよう設定してもよい。
【０１１１】
メール画面の設定１〜３の名称を、監視している機器名称に置き換えて、例えば接点１はラック内火災監視、接点２は施設火災監視、接点３は放送機器状態として表示してもよい。接点３の放送機器のみが故障して異常状態になった場合にも、災害情報としてＣＡＴＶシステム管理者へメール配信してもよい。
【０１１２】
また、火災表示盤４２とセンタ監視装置４０は一体の盤で構成してもよい。
【０１１３】
また、煙感知器や熱感知器は所定の閾値を超えた場合に火災信号を送信する所謂オンオフタイプの火災感知器に限らず、現在の検出値を出力できるアナログ感知器であってもよく、段階的に閾値を設定して火災注意警報、火災警報を出力するようにしても良い。
【０１１４】
また、火災表示盤４２やセンタ監視装置４０などのセンタ側装置から、サブセンタ監視装置側へ、各接点の状況を問い合わせて、センタ側装置にて表示して、各サブセンタの状況を監視することもできる。
【０１１５】
また、サブセンタ監視装置４６はラック外に設置しても良い。
【０１１６】
また、本発明は上記の実施形態に限定されず、その目的と利点を損なうことのない適宜の変形を含み、更に上記の実施形態に示した数値による限定は受けない。
【符号の説明】
【０１１７】
１０：ＣＡＴＶセンタ
１２：ＣＡＴＶ伝送路
１４：サブセンタ
１６：施設
２０：火災報知設備
２２：火災感知器
２６：ヘッドエンド
３４：ケーブルモデムシステム
３６：ＳＮＭＰマネージャー
３８：メールサーバ
４０：センタ監視装置
４２：火災表示盤
４４：ケーブルモデム
４６：サブセンタ監視装置
【図１】
2015026306.tif 000003
【図２】
2015026306.tif 000004
【図３】
2015026306.tif 000005
【図４】
2015026306.tif 000006
【図５】
2015026306.tif 000007
【図６】
2015026306.tif 000008
【図７】
2015026306.tif 000009
【図８】
2015026306.tif 000010
【図９】
2015026306.tif 000011
【図１０】
2015026306.tif 000012